(57)【要約】【課題】  支軸部と回動部品との接触部分に潤滑剤を無駄なく十分に供給でき、それにより、回動部品の潤滑を十分に行えるとともに、製造コストを削減することができる鍵盤楽器の回動部品の支持機構および鍵盤楽器の回動部品の潤滑方法を提供する。【解決手段】  押鍵に伴って回動する複数の回動部品２４を複数の鍵２３の並び方向に並んだ状態で支持する鍵盤楽器の回動部品の支持機構１であって、回動部品２４は凹状の被支持部２４ａを有し、複数の鍵２３の並び方向に延び、回動部品２４を被支持部２４ａを介して回動自在に支持する支軸部４を備え、支軸部４は、長さ方向に延びる、潤滑剤を導入するための導入孔４ａと、導入孔４ａに連続するとともに、被支持部２４ａに臨むように開口し、導入孔４ａに導入された潤滑剤を被支持部２４ａとの接触部分５に供給するための供給孔４ｂを有している。【選択図】  図３
2006039252.tif 000002
【特許請求の範囲】
【請求項１】
押鍵に伴って回動する複数の回動部品を複数の鍵の並び方向に並んだ状態で支持する鍵盤楽器の回動部品の支持機構であって、
前記回動部品は凹状の被支持部を有し、
前記複数の鍵の並び方向に延び、前記回動部品を前記被支持部を介して回動自在に支持する支軸部を備え、
当該支軸部は、長さ方向に延びる、潤滑剤を導入するための導入孔と、当該導入孔に連続するとともに、前記被支持部に臨むように開口し、前記導入孔に導入された潤滑剤を前記被支持部との接触部分に供給するための供給孔を有することを特徴とする鍵盤楽器の回動部品の支持機構。
【請求項２】
押鍵に伴って回動する複数の回動部品を潤滑する鍵盤楽器の回動部品の潤滑方法であって、
前記複数の回動部品は、凹状の被支持部をそれぞれ有するとともに、複数の鍵の並び方向に並んだ状態で支軸部に支持され、
当該支軸部は、前記複数の鍵の並び方向に延び、前記回動部品を前記被支持部を介して回動自在に支持するとともに、長さ方向に延びる導入孔と、当該導入孔に連続するとともに、前記被支持部に臨むように開口する供給孔を有しており、
径方向に貫通する潤滑剤注入孔を有する潤滑剤注入管を準備し、
当該潤滑剤注入管を前記支軸部の前記導入孔に挿入するとともに、前記潤滑剤注入孔を前記供給孔に連通させ、
前記回動部品を前記支軸部に支持した状態で、前記潤滑剤注入管に潤滑剤を圧送することによって、前記潤滑剤注入管および前記供給孔を介して、前記支軸部と前記回動部品の前記被支持部との接触部分に潤滑剤を供給し、
当該潤滑剤の圧送の停止後、前記潤滑剤注入管を前記支軸部の前記導入孔から引き抜くことを特徴とする鍵盤楽器の回動部品の潤滑方法。
【発明の詳細な説明】
【技術分野】
【０００１】
本発明は、押鍵に伴って回動する複数の回動部品を支持する鍵盤楽器の回動部品の支持機構、およびそのような回動部品の潤滑方法に関する。
【背景技術】
【０００２】
従来、この種の回動部品の支持機構として、例えば特許文献１に開示されたものが知られている。この支持機構は、電子ピアノに適用されたものであり、回動部品としての複数のハンマーを支持するものである。また、この支持機構は、鍵などを載置するシャーシに連結されたハンマーレールを備えている。このハンマーレールは、押出成形品で構成され、複数の鍵の並び方向に延びていて、円弧状の支点軸部を有している。各ハンマーの一端部には、円弧状の軸穴が形成されており、この軸穴が支点軸部に係合することによって、すべてのハンマーが、鍵の並び方向に並んだ状態で、ハンマーレールに回動自在に支持されている。さらに、ハンマーは、押鍵に伴い、鍵で突き上げられることによって、支点軸部を中心として回動する。
【０００３】
以上のように、ハンマーは支点軸部に直接、回動自在に支持されるので、両者の接触部分の摩耗を抑制するとともに、ハンマーの円滑な回動を確保するために、この接触部分を十分に潤滑する必要がある。このため、ハンマーを支点軸部に取り付ける前に、ハンマーの軸穴と支点軸部の互いの接触面の一方または両方に潤滑剤を塗布することが通常行われている。
【０００４】
しかし、上記のように潤滑剤をあらかじめ塗布しても、ハンマーを取り付ける際、軸穴と支点軸部との係合によって、塗布した潤滑剤がかき取られるので、その分、潤滑剤が無駄に消費され、製造コストが高くなってしまう。また、接触部分の潤滑剤が不足がちになり、接触部分を十分には潤滑できず、ハンマーおよび支点軸部の摩耗を抑制できないなどの不具合が生じるおそれがある。
【０００５】
本発明は、以上のような課題を解決するためになされたものであり、支軸部と回動部品との接触部分に潤滑剤を無駄なく十分に供給でき、それにより、回動部品の潤滑を十分に行えるとともに、製造コストを削減することができる鍵盤楽器の回動部品の支持機構および鍵盤楽器の回動部品の潤滑方法を提供することを目的とする。
【０００６】
【特許文献１】特開２００２−１０８３４２号公報
【発明の開示】
【課題を解決するための手段】
【０００７】
上記の目的を達成するため、請求項１に係る発明は、押鍵に伴って回動する複数の回動部品を複数の鍵の並び方向に並んだ状態で支持する鍵盤楽器の回動部品の支持機構であって、回動部品は凹状の被支持部を有し、複数の鍵の並び方向に延び、回動部品を被支持部を介して回動自在に支持する支軸部を備え、支軸部は、長さ方向に延びる、潤滑剤を導入するための導入孔と、導入孔に連続するとともに、被支持部に臨むように開口し、導入孔に導入された潤滑剤を被支持部との接触部分に供給するための供給孔を有することを特徴とする。
【０００８】
この鍵盤楽器の回動部品の支持機構によれば、複数の回動部品が、複数の鍵の並び方向に延びる支軸部に、凹状の被支持部を介して、鍵の並び方向に並んだ状態で回動自在に支持されている。また、この支持機構では、複数の回動部品の潤滑が例えば次のようにして行われる。すなわち、潤滑剤を支軸部の長さ方向に延びる導入孔にポンプなどにより圧送する。これにより、潤滑剤が、導入孔に導入され、さらに、導入孔に連続する供給孔を介して、支軸部と各回動部品の被支持部との接触部分に行き渡るので、各接触部分に潤滑剤を十分に供給でき、回動部品を十分に潤滑することができる。また、回動部品が支持された状態で、潤滑剤を接触部分に供給できるので、従来と異なり、回動部品の取付の際に、潤滑剤がかき取られることがなく、潤滑剤を接触部分に無駄なく供給でき、したがって、製造コストを削減することができる。さらに、潤滑剤を導入孔に圧送するだけで、潤滑剤を、支軸部と複数の回動部品との各接触部分に一時に供給できるので、複数の回動部品ごとに潤滑剤を手作業で塗布する場合と比較して、潤滑剤の供給を非常に容易に行うことができる。
【０００９】
前記目的を達成するため、請求項２に係る発明は、押鍵に伴って回動する複数の回動部品を潤滑する鍵盤楽器の回動部品の潤滑方法であって、複数の回動部品は、凹状の被支持部をそれぞれ有するとともに、複数の鍵の並び方向に並んだ状態で支軸部に支持され、支軸部は、複数の鍵の並び方向に延び、回動部品を被支持部を介して回動自在に支持するとともに、長さ方向に延びる導入孔と、導入孔に連続するとともに、被支持部に臨むように開口する供給孔を有しており、径方向に貫通する潤滑剤注入孔を有する潤滑剤注入管を準備し、潤滑剤注入管を支軸部の導入孔に挿入するとともに、潤滑剤注入孔を供給孔に連通させ、回動部品を支軸部に支持した状態で、潤滑剤注入管に潤滑剤を圧送することによって、潤滑剤注入管および供給孔を介して、支軸部と回動部品の被支持部との接触部分に潤滑剤を供給し、潤滑剤の圧送の停止後、潤滑剤注入管を支軸部の導入孔から引き抜くことを特徴とする。
【００１０】
この鍵盤楽器の回動部品を潤滑する潤滑方法によれば、前記請求項１で述べたような構成の回動部品および支軸部において、潤滑剤注入管を支軸部の導入孔に挿入するとともに、潤滑剤注入管の径方向に貫通する潤滑剤注入孔を支軸部の供給孔に連通させる。そして、回動部品を支軸部に支持した状態で、潤滑剤注入管に潤滑剤を圧送することによって、潤滑剤を、潤滑剤注入管および供給孔を介して、支軸部と各回動部品の被支持部との接触部分に供給する。これにより、各接触部分に潤滑剤が行き渡るので、潤滑剤を接触部分に十分に供給することができる。また、回動部品が支持された状態で潤滑剤を供給するので、潤滑剤がかき取られることがなく、潤滑剤を無駄なく供給できる。さらに、潤滑剤注入孔を供給孔に連通させた状態で、潤滑剤注入管に潤滑剤を圧送するので、潤滑剤を、支軸部と複数の回動部品との各接触部分に一時に供給することができる。以上により、前述した請求項１による効果を得ることができる。また、潤滑剤の圧送の停止後、潤滑剤注入管を支軸部から引き抜くので、潤滑剤が潤滑剤注入管とともに支軸部から取り出され、支軸部内にはほとんど残留せず、したがって、潤滑剤の無駄な消費をさらに抑制することができる。
【発明を実施するための最良の形態】
【００１１】
以下、図面を参照しながら、本発明の好ましい実施形態について説明する。図１は、本発明を適用した電子ピアノの鍵盤装置２１を離鍵状態において示している。この鍵盤装置２１は、シャーシ２２と、シャーシ２２に左右方向（同図の奥行き方向）に並んだ状態で取り付けられた多数の鍵２３と、鍵２３ごとに設けられ、押鍵に伴って回動する多数のハンマー２４（回動部品）と（各１つのみ図示）、シャーシ２２の後ろ側に隣接して配置され、ハンマー２４を支持するハンマーレール１（支持機構）と、ハンマー２４の上方にハンマー２４ごとに設けられた多数のスイッチ本体２５ａ（１つのみ図示）を有する鍵スイッチ２５とを備えている。
【００１２】
シャーシ２２は、鉄板などを組み立てたものであり、棚板２６上に水平に固定されている。また、シャーシ２２の前後方向（同図の左右方向）の中央部には、多数のバランスピン２２ａが左右方向に並んで立設されている。各鍵２３の中央部には、バランスピン孔２３ａが形成されており、鍵２３は、このバランスピン孔２３ａを介して、バランスピン２２ａに揺動自在に支持されている。
【００１３】
各ハンマー２４は、前後方向に延びており、その後端部に、後方に開放する円弧状の軸穴２４ａ（被支持部）が形成されている。また、すべてのハンマー２４は、この軸穴２４ａがハンマーレール１の後述する支軸部４に係合することによって、左右方向すなわち鍵２３の並び方向に並んだ状態で、ハンマーレール１に回動自在に支持されている。さらに、ハンマー２４の下面には、軸穴２４ａの前側に、調製ねじ２４ｂが進退自在にねじ込まれており、ハンマー２４は、この調製ねじ２４ｂを介して、対応する鍵２３の上面後端部に載置されている。
【００１４】
以上の構成の鍵盤装置２１では、図１に示す離鍵状態から鍵２３が押鍵されると、ハンマー２４は、鍵２３で突き上げられることによって、支軸部４を中心として上方に回動する。また、回動したハンマー２４で鍵スイッチ２５のスイッチ本体２５ａが押圧されることによって、鍵２３の押鍵の有無および押鍵速度が、押鍵情報として検出される。
【００１５】
ハンマーレール１は、中空のアルミニウムの１つの押出成形品で構成され、すべてのハンマー２４にわたるように、左右方向すなわち鍵２３の並び方向に延びていて、ねじ１ａによってシャーシ２２の後端部に連結されるとともに、棚板２６上に固定されている。また、ハンマーレール１は、上下方向に延びるハンマー支持部２と、ハンマー支持部２から前側上方に斜めに延びるとともに、前記鍵スイッチ２５が取り付けられたスイッチ取付部３とを一体に有している。前記支軸部４は、ハンマー支持部２の上部に、前方に突出するように設けられている。
【００１６】
図２および図３に示すように、支軸部４は、中空の軸状のものであり、長さ方向に貫通する導入孔４ａと、ハンマー２４ごとに設けられ、支軸部４の長さ方向に直線状に並ぶ複数の供給孔４ｂを有している。各供給孔４ｂは、導入孔４ａに連続するとともに、対応するハンマー２４の軸穴２４ａに臨むように開口している。なお、供給孔４ｂは、ハンマーレール１の押出成形後に、切削加工などによって形成される。
【００１７】
以上の構成によれば、グリスの供給は例えば次のようにして行われる。すなわち、支軸部４の導入孔４ａの各端部に、チューブの一端部を接続するとともに、各チューブの他端部にポンプを接続する。そして、ポンプを作動させることによって、グリスを、チューブを介して、導入孔４ａの両端部から導入孔４ａに同時に圧送し、その後、ポンプを停止する。この圧送により、グリスが、導入孔４ａに導入され、さらに、導入孔４ａに連続する供給孔４ｂを介して、支軸部４と多数のハンマー２４の各軸穴２４ａとの接触部分５に供給され、さらにこれに沿って周方向に回り込むことによって、接触部分５に行き渡る。したがって、各接触部分５にグリスを十分に供給でき、ハンマー２４を十分に潤滑することができる。なお、グリスを接触部分５に行き渡りやすくするために、ハンマー２４を回動させながら、グリスを圧送するようにしてもよい。
【００１８】
以上のように、ハンマー２４が支持された状態で、グリスが接触部分５に供給されるので、ハンマー２４の取付の際にグリスがかき取られることがなく、グリスを接触部分５に無駄なく供給でき、したがって、製造コストを削減することができる。また、グリスを支軸部４の導入孔４ａに圧送するだけで、グリスを、支軸部４と多数のハンマー２４との各接触部分５に一時に供給できるので、グリスの供給を非常に容易に行うことができる。さらに、グリスを導入孔４ａの両端部から同時に圧送するので、各接触部分５にグリスを速やかに行き渡らせることができ、したがって、ハンマー２４の潤滑作業を速やかに行うことができる。なお、導入孔４ａの一端部に蓋をした状態で、グリスを他端部から圧送してもよいことはもちろんである。
【００１９】
次に、ハンマー２４の他の潤滑方法について、図４および図５を参照しながら説明する。この潤滑方法は、潤滑剤注入管１１を用いて、グリスを供給するものである。図４（ａ）に示すように、この潤滑剤注入管１１は、金属製の管状のものであり、支軸部４よりも長く、また、導入孔４ａよりも若干小さな径を有している。また、潤滑剤注入管１１には、供給孔４ｂに対応する多数の潤滑剤注入孔１１ａが形成されている。各潤滑剤注入孔１１ａは、径方向に貫通し、潤滑剤注入管１１の内孔１１ｂに連続するとともに、外側に開口しており、供給孔４ｂとほぼ同じ径を有している。
【００２０】
グリスを供給する場合には、まず、潤滑剤注入管１１を導入孔４ａに挿入する（同図（ｂ））とともに、潤滑剤注入孔１１ａを供給孔４ｂに位置あわせし、連通させる（同図（ｃ））。次に、潤滑剤注入管１１の各端部に、チューブの一端部を接続するとともに、このチューブの他端部にポンプ（いずれも図示せず）を接続する。次いで、ハンマー２４を回動させながら、ポンプによって、グリスを潤滑剤注入管１１の両端部から同時に圧送する（図５（ａ））。これにより、グリスが、潤滑剤注入管１１の内孔１１ｂ、潤滑剤注入孔１１ａ、および支軸部４の供給孔４ｂを介して、支軸部４とハンマー２４との接触部分５に供給される。次に、ポンプを停止した後、潤滑剤注入管１１を支軸部４から引き抜き（図５（ｂ））、グリスの供給作業を終了する。
【００２１】
以上のように、このハンマー２４の潤滑方法によれば、前述した潤滑方法と同様、ハンマー２４が支持された状態で、グリスが接触部分５に供給されるので、グリスを接触部分５に無駄なく供給できる。また、グリスを潤滑剤注入管１１に圧送するだけで、グリスを、支軸部４と多数のハンマー２４との各接触部分５に一時に供給できるので、この供給を非常に容易に行うことができる。さらに、グリスを潤滑剤注入管１１の両端部から同時に圧送するので、各接触部分５にグリスを速やかに行き渡らせることができる。以上により、前述した潤滑方法による効果を同様に得ることができる。また、ハンマー２４を回動させながら、すなわち供給孔４ｂから出たグリスが当たる軸穴２４ａの位置を変化させながら、グリスを接触部分５に供給するので、グリスが各接触部分５に行き渡りやすくなり、ハンマー２４の潤滑を確実かつ十分に行うことができる。さらに、ポンプの停止後、潤滑剤注入管１１を支軸部４から引き抜くので、グリスが、潤滑剤注入管１１とともに支軸部４から取り出され、支軸部４内にはほとんど残留せず、したがって、グリスの無駄な消費をさらに抑制することができる。
【００２２】
また、図６および図７は支軸部４の変形例を示している。図６の変形例では、支軸部３１の供給孔３１ａは、両端部を残して、長さ方向に延びる単一の孔で構成されており、切削加工で形成されている。このように、供給孔３１ａの開口面積が、供給孔４ｂと比較して大きいので、より多量のグリスを接触部分５に供給できることによって、潤滑をより容易に行うことができる。また、供給孔３１ａが単一であるので、その切削加工を容易に行うことができる。
【００２３】
図７の変形例は、同図（ａ）に示すような既存の支軸部４１を利用したものである。すなわち、この支軸部４１は、円弧状の一定の断面を有しており、周方向に部分的に切りかかれた開口を有している。上述した潤滑剤注入管１１を使用する場合はこのままでもよいが、この支軸部４１の両端部に、開口をふさぐように、例えばプラスチック製の蓋４１ａを取り付けてもよい（同図（ｂ）参照）。これにより、支軸部４１の内部空間を導入孔４１ｂとし、開口を単一の供給孔４１ｃとして、上述した図６の変形例と同様にして、グリスを供給することができる。また、既存の支軸部４１に蓋４１ａを取り付けるだけでよいので、切削加工などをまったく行うことなく、グリスを供給するための支軸部を容易に構成することができる。また、図８に示すように、供給孔５１ａを、支軸部５１の周方向に延びるスリット状の複数の孔で構成してもよい。この場合、供給孔５１ａが接触部分５に沿って延びていることによって、グリスが接触部分５に行き渡りやすいので、ハンマー２４を回動させずに、潤滑を確実かつ十分に行うことができる。その他、供給孔については、本発明の趣旨に合致する限り、他の任意の構成を採用することができる。
【００２４】
なお、本発明は、説明した実施形態に限定されることなく、種々の態様で実施することができる。例えば、実施形態は、回動部品が電子ピアノのハンマーの例であるが、本発明は、これに限らず、他の適当な回動部品に適用可能である。例えば、アコースティックピアノでは、押鍵に伴って回動するウィッペンやダンパーレバーが設けられており、これらを回動部品として本発明を適用してもよい。また、実施形態では、導入孔４ａを、支軸部４の長さ方向に貫通する孔で構成したが、支軸部４の長さ方向に延び、潤滑剤を導入可能なものであれば、その構成は任意である。例えば、導入孔４ａの両端部を閉鎖するとともに、これらの両端部に連通する導入口を支軸部４の周壁に設けてもよい。この場合にも、この両端部の導入口から潤滑剤を導入することができる。その他、本発明の趣旨の範囲内で、細部の構成を適宜、変更することが可能である。
【図面の簡単な説明】
【００２５】
【図１】本発明のハンマーレールを含む電子ピアノの鍵盤装置の側面図である。
【図２】支軸部の部分斜視図である。
【図３】（ａ）ハンマーが支軸部に係合している状態を示す部分平面図、および（ｂ）線Ａ−Ａに沿う断面図である。
【図４】ハンマーの潤滑方法を示す図である。
【図５】図４の潤滑方法の続きを示す図である。
【図６】支軸部の変形例を示す部分斜視図である。
【図７】（ａ）既存の支軸部を備えた鍵盤装置の部分側面図、および（ｂ）既存の支軸部を利用した本発明の支軸部の部分斜視図である。
【図８】支軸部の他の変形例を示す部分斜視図である。
【符号の説明】
【００２６】
１  ハンマーレール（支持機構）
４  支軸部
４ａ  導入孔
４ｂ  供給孔
５  接触部分
２３  鍵
２４  ハンマー（回動部品）
２４ａ  軸穴（被支持部）
１１  潤滑剤注入管
１１ａ  潤滑剤注入孔
３１  支軸部
３１ａ  供給孔
４１  支軸部
４１ｂ  導入孔
４１ｃ  供給孔
５１  支軸部
５１ａ  供給孔
【図１】
2006039252.tif 000003
【図２】
2006039252.tif 000004
【図３】
2006039252.tif 000005
【図４】
2006039252.tif 000006
【図５】
2006039252.tif 000007
【図６】
2006039252.tif 000008
【図７】
2006039252.tif 000009
【図８】
2006039252.tif 000010